(57)【要約】【課題】複数の車載ディスプレイのそれぞれに対するコンテンツの表示に関する冗長性の増大を抑制した上で、コンテンツを利用する乗員が意図しないコンテンツの表示を抑制し、利便性を向上する。【解決手段】表示制御装置は、移動体内に配置される第１の表示部および第２の表示部のそれぞれに表示する１以上のコンテンツを取得する取得部と、第１の表示部および第２の表示部のそれぞれに対するコンテンツの表示を制御する表示制御部と、を備える。表示制御部は、第１の表示部に第１のコンテンツが表示され、かつ第１のコンテンツに関連付けられている第２のコンテンツが第２の表示部に表示されている時、第１の表示部での第１のコンテンツから第３のコンテンツへの切り替えに応じて、第２の表示部に表示されるコンテンツを第２のコンテンツから第２のコンテンツ以前に表示されていた第１のコンテンツへ切り替える。【選択図】図２
2020160180.tif 000002
【特許請求の範囲】
【請求項１】
移動体内に配置される第１の表示部および第２の表示部のそれぞれに表示する１以上のコンテンツを取得する取得部と、
前記第１の表示部および第２の表示部のそれぞれに対するコンテンツの表示を制御する表示制御部と、を備え、
前記表示制御部は、前記第１の表示部に第１のコンテンツが表示され、かつ前記第１のコンテンツに関連付けられている第２のコンテンツが前記第２の表示部に表示されている時、前記第１の表示部での前記第１のコンテンツから第３のコンテンツへの切り替えに応じて、前記第２の表示部に表示されるコンテンツを前記第２のコンテンツから前記第２のコンテンツ以前に表示されていた前記第１のコンテンツへ切り替える、
表示制御装置。
【請求項２】
前記表示制御部は、前記第１の表示部での前記第１のコンテンツから前記第３のコンテンツへの切り替えに応じて、前記第２の表示部において前記第２のコンテンツから前記第１のコンテンツへの表示切替の確認を促す確認画面を表示する、
請求項１に記載の表示制御装置。
【請求項３】
前記表示制御部は、前記確認画面に対する前記第１のコンテンツへの表示切替の実行指示の入力に応じて、前記第２の表示部に表示されるコンテンツを前記第２のコンテンツから前記第１のコンテンツに切り替える、
請求項２に記載の表示制御装置。
【請求項４】
前記表示制御部は、前記確認画面に対する前記第１のコンテンツへの表示切替の不実行指示の入力に応じて、前記第２の表示部において前記確認画面を非表示する、
請求項２に記載の表示制御装置。
【請求項５】
前記表示制御部は、前記第１の表示部での前記第１のコンテンツから前記第３のコンテンツへの切り替えに応じて、前記第２の表示部において前記第１のコンテンツを表示可能なポインタ画面を表示する、
請求項１に記載の表示制御装置。
【請求項６】
前記表示制御部は、前記ポインタ画面における、前記第１のコンテンツを表示させるためのユーザの指定指示の入力に応じて、前記第２の表示部において前記第１のコンテンツを全画面表示する、
請求項５に記載の表示制御装置。
【請求項７】
前記表示制御部は、前記第１の表示部において前記第１のコンテンツから前記第３のコンテンツへそれぞれのコンテンツの表示領域を徐々に増減しながら切り替えるとともに、前記第２の表示部において前記第２のコンテンツから前記第１のコンテンツへそれぞれのコンテンツの表示領域を徐々に増減しながら切り替える、
請求項１に記載の表示制御装置。
【請求項８】
前記第３のコンテンツは、前記第１のコンテンツに関連付けられていないコンテンツである、
請求項１〜７のうちいずれか一項に記載の表示制御装置。
【請求項９】
移動体内に配置される第１の表示部および第２の表示部のそれぞれと接続される表示制御装置における表示制御方法であって、
前記第１の表示部および第２の表示部のそれぞれに表示する１以上のコンテンツを取得するステップと、
前記第１の表示部および第２の表示部のそれぞれに対するコンテンツの表示を制御するステップと、を備え、
前記表示の制御において、
前記第１の表示部に第１のコンテンツが表示され、かつ前記第１のコンテンツに関連付けられている第２のコンテンツが前記第２の表示部に表示されている時、前記第１の表示部での前記第１のコンテンツから第３のコンテンツへの切り替えに応じて、前記第２の表示部に表示されるコンテンツを前記第２のコンテンツから前記第２のコンテンツ以前に表示されていた前記第１のコンテンツへ切り替える、
表示制御方法。
【請求項１０】
移動体内に配置される第１の表示部および第２の表示部のそれぞれと接続される、コンピュータである表示制御装置に、
前記第１の表示部および第２の表示部のそれぞれに表示する１以上のコンテンツを取得するステップと、
前記第１の表示部および第２の表示部のそれぞれに対するコンテンツの表示を制御するステップと、を実現させ、
更に、前記表示の制御において、
前記第１の表示部に第１のコンテンツが表示され、かつ前記第１のコンテンツに関連付けられている第２のコンテンツが前記第２の表示部に表示されている時、前記第１の表示部での前記第１のコンテンツから第３のコンテンツへの切り替えに応じて、前記第２の表示部に表示されるコンテンツを前記第２のコンテンツから前記第２のコンテンツ以前に表示されていた前記第１のコンテンツへ切り替える、
プログラム。
【発明の詳細な説明】
【技術分野】
【０００１】
本開示は、表示制御装置、表示制御方法およびプログラムに関する。
【背景技術】
【０００２】
特許文献１には、車室内に配置された第１のナビディスプレイが表示するコンテンツと、車室内に配置された第２のナビディスプレイが表示するコンテンツとが同一か否かを判定する車載用情報表示装置が開示されている。この車載用情報表示装置は、第１のナビディスプレイおよび第２のナビディスプレイが表示しているコンテンツが同一と判定すると第１のナビディスプレイおよび第２のナビディスプレイが表示しているコンテンツのうち同一と判定したコンテンツを先に表示しているディスプレイに、同一と判定したコンテンツと予め関連付けした他のコンテンツを表示するように切り替える。
【先行技術文献】
【特許文献】
【０００３】
【特許文献１】国際公開第２０１５／０６８３６８号
【発明の概要】
【発明が解決しようとする課題】
【０００４】
しかし、特許文献１では、複数のディスプレイに同一のコンテンツが表示された場合に、車両の乗員の意思に依らずに表示内容が切り替わるため、乗員の誤操作で同一のコンテンツが表示された場合でも、表示内容が切り替わってしまい利便性が低下するという課題があった。
【０００５】
本開示は、上述した従来の状況に鑑みて案出され、複数の車載ディスプレイのそれぞれに対するコンテンツの表示に関する冗長性の増大を抑制した上で、コンテンツを利用する乗員が意図しないコンテンツの表示を抑制し、利便性を向上する表示制御装置、表示制御方法およびプログラムを提供することを目的とする。
【課題を解決するための手段】
【０００６】
本開示は、移動体内に配置される第１の表示部および第２の表示部のそれぞれに表示する１以上のコンテンツを取得する取得部と、前記第１の表示部および第２の表示部のそれぞれに対するコンテンツの表示を制御する表示制御部と、を備え、前記表示制御部は、前記第１の表示部に第１のコンテンツが表示され、かつ前記第１のコンテンツに関連付けられている第２のコンテンツが前記第２の表示部に表示されている時、前記第１の表示部での前記第１のコンテンツから第３のコンテンツへの切り替えに応じて、前記第２の表示部に表示されるコンテンツを前記第２のコンテンツから前記第２のコンテンツ以前に表示されていた前記第１のコンテンツへ切り替える、表示制御装置を提供する。
【０００７】
また、本開示は、移動体内に配置される第１の表示部および第２の表示部のそれぞれと接続される表示制御装置における表示制御方法であって、前記第１の表示部および第２の表示部のそれぞれに表示する１以上のコンテンツを取得するステップと、前記第１の表示部および第２の表示部のそれぞれに対するコンテンツの表示を制御するステップと、を備え、前記表示の制御において、前記第１の表示部に第１のコンテンツが表示され、かつ前記第１のコンテンツに関連付けられている第２のコンテンツが前記第２の表示部に表示されている時、前記第１の表示部での前記第１のコンテンツから第３のコンテンツへの切り替えに応じて、前記第２の表示部に表示されるコンテンツを前記第２のコンテンツから前記第２のコンテンツ以前に表示されていた前記第１のコンテンツへ切り替える、表示制御方法を提供する。
【０００８】
また、本開示は、移動体内に配置される第１の表示部および第２の表示部のそれぞれと接続される、コンピュータである表示制御装置に、前記第１の表示部および第２の表示部のそれぞれに表示する１以上のコンテンツを取得するステップと、前記第１の表示部および第２の表示部のそれぞれに対するコンテンツの表示を制御するステップと、を実現させ、更に、前記表示の制御において、前記第１の表示部に第１のコンテンツが表示され、かつ前記第１のコンテンツに関連付けられている第２のコンテンツが前記第２の表示部に表示されている時、前記第１の表示部での前記第１のコンテンツから第３のコンテンツへの切り替えに応じて、前記第２の表示部に表示されるコンテンツを前記第２のコンテンツから前記第２のコンテンツ以前に表示されていた前記第１のコンテンツへ切り替える、プログラムを提供する。
【発明の効果】
【０００９】
本開示によれば、複数の車載ディスプレイのそれぞれに対するコンテンツの表示に関する冗長性の増大を抑制でき、コンテンツを利用する乗員が意図しないコンテンツの表示を抑制でき、利便性を向上できる。
【図面の簡単な説明】
【００１０】
【図１】実施の形態１に係る車載表示システムの構成例を示すブロック図
【図２】動作例１における第１タッチパネルおよび第２タッチパネルのそれぞれに表示されるコンテンツの遷移例を示す図
【図３】動作例１における表示制御手順例を示すフローチャート
【図４】第１タッチパネルおよび第２タッチパネルのそれぞれに表示可能なコンテンツの具体例を示す図
【図５】動作例２における第１タッチパネルおよび第２タッチパネルのそれぞれに表示されるコンテンツの遷移例を示す図
【図６】動作例２における表示制御手順例を示すフローチャート
【図７】動作例３における第１タッチパネルおよび第２タッチパネルのそれぞれに表示されるコンテンツの遷移例を示す図
【図８】動作例３における表示制御手順例を示すフローチャート
【図９】実施の形態２に係る第１タッチパネルおよび第２タッチパネルのそれぞれに表示されるコンテンツの遷移例を示す図
【図１０】実施の形態２に係る表示制御手順を示すフローチャート
【発明を実施するための形態】
【００１１】
以下、適宜図面を参照しながら、本開示に係る表示制御装置、表示制御方法およびプログラムの構成および作用を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１２】
（実施の形態１）
図１は、実施の形態１に係る車載表示システム５の構成例を示すブロック図である。車載表示システム５は、車両に搭載され、車室内のユーザ（例えばドライバー、助手席もしくは後方座席の乗員）に各種の情報（例えばコンテンツ）を提示する。車載表示システム５は、表示制御装置１０と、記録装置２０と、第１タッチパネル３１と、第２タッチパネル３２と、スピーカ４０とを含む構成である。
【００１３】
表示制御装置１０は、車載表示システム５の各部の動作を制御する。表示制御装置１０は、ＣＰＵ（Central Processing Unit）、ＤＳＰ（Digital Signal Processor）あるいはＦＰＧＡ（Field Programmable Gate Array）等により構成されるプロセッサＰＲＣ１とメモリ１５とを含む構成である。また、表示制御装置１０において、プロセッサＰＲＣ１の代わりに、車両に搭載された各種の電子機器を制御するＥＣＵ（Electronic Control Unit）が配置されてもよい。メモリ１５は、割り当てられたフラグ（後述参照）を一時的に保持する。
【００１４】
表示制御装置１０において、プロセッサＰＲＣ１は、メモリ１５内に記憶されている処理（例えば表示制御）用のプログラムを実行することにより、情報取得部１１、表示制御部１２、コンテンツ判定部１３およびコンテンツ切替部１４の機能的構成を実現する。プロセッサＰＲＣ１は、表示制御装置１０の動作を司るコントローラとして機能し、表示制御装置１０の各部の動作を全体的に統括するための制御処理、表示制御装置１０の各部との間のデータの入出力処理、データの演算（計算）処理およびデータの記憶処理を行う。プロセッサＰＲＣ１は、メモリ１５に記憶されたプログラムに従って動作する。プロセッサＰＲＣ１は、動作時にメモリ１５を使用し、プロセッサＰＲＣ１により生成されたデータをメモリ１５に格納する。
【００１５】
メモリ１５は、ＲＡＭ（Random Access Memory）およびＲＯＭ（Read Only Memory）を用いて構成され、表示制御装置１０の動作の実行に必要なプログラム、更には、動作中に生成されたデータあるいは情報を一時的に保存する。ＲＡＭは、例えばプロセッサＰＲＣ１の動作時に使用されるワークメモリである。ＲＯＭは、例えばプロセッサＰＲＣ１を制御するためのプログラムを予め記憶する。メモリ１５は、例えば第１タッチパネル３１あるいは第２タッチパネル３２に表示されているコンテンツが他のコンテンツに切り替えられる際に、切り替え前（つまりオリジナル）のコンテンツのデータを記憶する（後述参照）。
【００１６】
取得部の一例としての情報取得部１１は、第１タッチパネル３１および第２タッチパネル３２のそれぞれに表示される１以上のコンテンツを取得し、表示制御部１２に出力する。情報取得部１１は、コンテンツの一例として、車両の進路を案内するナビゲーション画面、車両の運転状態を表す画面、交通情報画面等を取得する。ナビゲーション画面は、地図データ、車両の現在位置、音声案内データを含む。車両の運転状態を表す画面は、車速、エンジン回転数、急発進、急ブレーキ等を含む。交通情報画面は、渋滞情報、事故情報等を含む。また、情報取得部１１は、コンテンツの一例として、メニュー画面や通話画面を取得する。メニュー画面は、音楽、テレビ、電話、ラジオ、マップ等を選択するアイコンを含む。通話画面は、電話番号を入力する画面を含む。なお、コンテンツは、上述した例に限定されないことは言うまでもない。
【００１７】
表示制御部１２は、情報取得部１１からコンテンツを入力し、第１タッチパネル３１および第２タッチパネル３２のそれぞれにそのコンテンツを表示する制御を行う。表示制御部１２は、第１タッチパネル３１に表示されるコンテンツと第２タッチパネル３２に表示されるコンテンツの内容をコンテンツ判定部１３に通知する。
【００１８】
コンテンツ判定部１３は、第１タッチパネル３１に表示されるコンテンツの内容と第２タッチパネル３２に表示されるコンテンツの内容とが同一であるか否かを判定する。ここで、コンテンツが同一であるとは、説明を分かり易くするために、コンテンツ自体が完全に同一であることに限定されるものとする。従って、コンテンツとそのコンテンツに関連するコンテンツ（後述参照）とは同一ではないとみなす。コンテンツ判定部１３は、この判定結果をコンテンツ切替部１４に渡す。
【００１９】
コンテンツ切替部１４は、コンテンツ判定部１３からの判定結果に基づいて、第１タッチパネル３１および第２タッチパネル３２のそれぞれに表示されるコンテンツが同一であると判定された場合、情報取得部１１にコンテンツの切り替えを指示する。
【００２０】
記録装置２０は、第１タッチパネル３１および第２タッチパネル３２のそれぞれに表示されるコンテンツのデータを記録する。記録装置２０は、例えば二次記憶装置（例えばＨＤＤ（Hard Disk Drive）やＳＳＤ（Solid State Drive））や三次記憶装置（例えば光ディスク、ＳＤカード）により構成される。なお、図１に示す車載表示システム５において、上述したコンテンツのデータが保存されたフラッシュメモリ等のメモリが表示制御装置１０内に内蔵されてもよく、この場合には記録装置２０の構成は省かれてもよい。また、記録装置２０は、例えば車室内に乗車したユーザが所持し、上述したコンテンツのデータを保存するスマートフォン（図示略）であってもよい。
【００２１】
第１の表示部の一例としての第１タッチパネル３１は、各種の情報（例えばコンテンツ、メニュー）を画面に表示する表示部３１ｚと、ユーザによるタッチ操作を受け付ける操作部３１ｙとを有する。表示部３１ｚは、例えば液晶表示デバイス、有機ＥＬ（Electroluminescence）デバイス、プラズマディスプレイ等であってよい。操作部３１ｙは、表示部３１ｚの前面に配置されるタッチセンサの他、その周囲に配置されるハードボタンを含んでもよい。
【００２２】
第２の表示部の一例としての第２タッチパネル３２は、第１タッチパネル３１と同様、各種の情報（例えばコンテンツ、メニュー）を画面に表示する表示部３２ｚと、ユーザによるタッチ操作を受け付ける操作部３２ｙとを有する。表示部３２ｚは、例えば液晶表示デバイス、有機ＥＬデバイス、プラズマディスプレイ等であってよい。操作部３２ｙは、表示部３２ｚの前面に配置されるタッチセンサの他、その周囲に配置されるハードボタンを含んでもよい。なお、第１タッチパネル３１と第２タッチパネル３２の仕様は、同じであってもよいし、異なってもよい。第１タッチパネル３１と第２タッチパネル３２の仕様が異なる場合、例えば、画面サイズ、解像度、カラー／モノクロ等が異なってもよい。
【００２３】
第１タッチパネル３１および第２タッチパネル３２のそれぞれは、例えばダッシュボードの前面あるいはセンターコンソールの上部に上下２段に隣接して配置される。言い換えると、第１タッチパネル３１および第２タッチパネル３２のそれぞれは、車室内のユーザ（上述参照）のいずれの視野にも含まれるように配置される。これにより、ユーザは、自己の視野内に第１タッチパネル３１および第２タッチパネル３２のそれぞれが含まれるので、第１タッチパネル３１および第２タッチパネル３２のそれぞれに同じコンテンツが表示される場合には冗長性を感じ易くなる。
【００２４】
なお、第１タッチパネル３１および第２タッチパネル３２のそれぞれは、上下２段に隣接して配置される以外、左右に隣接して配置されてもよい。また、第１タッチパネル３１および第２タッチパネル３２は、車室内のユーザの視野に含まれる限り、どのように配置されてもよい。例えば、運転者の視野に入るように、第１タッチパネルは、ダッシュボードの右側に配置され、第２タッチパネルは、フロントガラスの上部に配置されてもよい。また、第１タッチパネル３１および第２タッチパネル３２のそれぞれの代わりに、操作部としてのハードウェアキーと、表示部としてのディスプレイとがそれぞれ別体として構成されてもよい。また、表示制御装置１０と第１タッチパネル３１あるいは第２タッチパネル３２との間の接続形態は、有線接続でもよいし、無線接続でも構わない。
【００２５】
スピーカ４０は、各種のコンテンツに関する音、音楽あるいは音声を音響的に出力する。例えば、スピーカ４０は、車両の走行経路に関するナビゲーション時に音声案内を出力したり、通話時に通話相手の音声を出力したり、リスニング時に音楽を出力したりする。また、表示制御装置１０は、マイク（図示略を有してもよい。このマイクは、第１タッチパネル３１および第２タッチパネル３２のそれぞれの代わりに、車室内のユーザ（上述参照）が発話した音声で代替的に操作入力するための音声を収音して表示制御装置１０に出力する。表示制御装置１０は、マイクにより収音された音声（例えばユーザの発話した音声）を入力し、所定の音声認識処理を行うことで、ユーザの第１タッチパネル３１あるいは第２タッチパネル３２に対する手動操作に代わる音声操作に応じた処理を行う。また、マイクは、図４に示されるコンテンツＢに表示された電話機能がユーザに選択された場合に、通話時の音声を収音して表示制御装置１０に出力してもよい。
【００２６】
次に、実施の形態１に係る表示制御装置１０の動作概要について、幾つかの動作例を参照して説明する。
【００２７】
（動作例１）
動作例１では、表示制御装置１０は、第１タッチパネルおよび第２タッチパネルのそれぞれに同一のコンテンツが同時に表示される際、表示内容が冗長とならないように自動的に第２タッチパネルに表示されるコンテンツをこれと関連するコンテンツに切り替える。さらに、この後、表示制御装置１０は、第１タッチパネルに表示されるコンテンツが関連しないコンテンツに切り替わった場合、第２タッチパネルに表示されるコンテンツを元のコンテンツに戻す。
【００２８】
図２は、動作例１における第１タッチパネル３１および第２タッチパネル３２のそれぞれに表示されるコンテンツの遷移例を示す図である。始めに、第１タッチパネル３１にコンテンツＢが表示され、第２タッチパネル３２にコンテンツＡが表示されている状況を想定する。コンテンツＢとコンテンツＡは、関連しない。
【００２９】
ユーザは、第１タッチパネル３１に対して手動で（例えば指でフリックする等して）コンテンツ切り替え操作を行う。第１タッチパネル３１の表示内容は、プロセッサＰＲＣ１の処理により、コンテンツＢからコンテンツＡに遷移する。このままだと、第１タッチパネル３１に表示されるコンテンツＡと第２タッチパネル３２に表示されるコンテンツＡとが同一になる。このため、第２タッチパネル３２の表示内容は、プロセッサＰＲＣ１の処理により、瞬時にコンテンツＡからコンテンツＡに関連するコンテンツａに自動で遷移する。
【００３０】
再び、ユーザは、第１タッチパネル３１に対して手動で（例えば指でフリックする等して）コンテンツ切り替え操作を行う。第１タッチパネル３１の表示内容は、プロセッサＰＲＣ１の処理により、コンテンツＡから、コンテンツＡに関連しないコンテンツＣに遷移する。第１タッチパネル３１に表示されるコンテンツＣは、第２タッチパネル３２に表示されるコンテンツａおよび切り替え前のコンテンツＡのいずれとも関連しない。従って、第２タッチパネル３２の表示内容は、プロセッサＰＲＣ１の処理により、瞬時にコンテンツａから切り替え前のコンテンツＡに自動で戻る。
【００３１】
このように、ユーザが第１タッチパネル３１に対して、いかように表示の切り替え操作を行っても、第１タッチパネル３１および第２タッチパネル３２のそれぞれに表示されるコンテンツが同一となる状況は、殆ど発生しなくなる。なお、ここでは、ユーザが第１タッチパネル３１に対して手動切替を行うと、第２タッチパネル３２の表示内容が自動切替する場合を示したが、ユーザが第２タッチパネル３２に対して手動切替を行うと、第１タッチパネル３１の表示内容が自動切替するとしてもよい。つまり、ユーザが第１タッチパネル３１および第２タッチパネル３２のどちらか一方に対し手動切替を行うと、プロセッサＰＲＣ１の処理により、第１タッチパネル３１および第２タッチパネル３２の他方の表示が自動切替する。
【００３２】
図３は、動作例１における表示制御手順例を示すフローチャートである。つまり、図３のフローチャートは、図２の動作例１に対応して表示制御装置１０が実行する表示制御手順が示されている。
【００３３】
図３において、表示制御装置１０のプロセッサＰＲＣ１は、第１タッチパネル３１の操作部３１ｙを介して、ユーザからコンテンツの切り替え要求を受け付けたか否かを判別する（Ｓ１）。コンテンツの切り替え要求を受け付けた場合（Ｓ１、ＹＥＳ）、プロセッサＰＲＣ１は、ユーザの要求に適合するコンテンツを入力し、第１タッチパネル３１に表示されるコンテンツを切り替える（Ｓ２）。このステップＳ２の処理は、図２における、コンテンツＢからコンテンツＡに手動で切り替える処理、またはコンテンツＡからコンテンツＣに手動で切り替える処理に相当する。コンテンツ判定部１３は、第１タッチパネル３１に表示されるコンテンツと、第２タッチパネル３２に表示されるコンテンツとが同一であるか否かを判別する（Ｓ３）。
【００３４】
第１タッチパネル３１に表示されるコンテンツと、第２タッチパネル３２に表示されるコンテンツとが同一である場合（Ｓ３、ＹＥＳ）、プロセッサＰＲＣ１は、切り替え前の第２タッチパネル３２に表示されたコンテンツ（例えば図２に示すコンテンツＡ）をメモリ１５に記憶し、そのコンテンツＡに対してフラグを割り当てるようにメモリ１５にセットする（Ｓ４）。ここで、フラグは、切り替え前のコンテンツのデータがメモリ１５に記憶されていることを示す情報である。
【００３５】
プロセッサＰＲＣ１は、第２タッチパネル３２に表示されていたコンテンツＡに関連するコンテンツａを入力し、第２タッチパネル３２の表示内容を関連するコンテンツａに切り替える（Ｓ５）。このステップＳ５の処理は、図２における、コンテンツＡからコンテンツａに自動で切り替える処理に相当する。この後、表示制御装置１０の動作は終了する。
【００３６】
一方、ステップＳ３で、第１タッチパネル３１に表示されるコンテンツと第２タッチパネル３２に表示されるコンテンツとが異なる場合（Ｓ３、ＮＯ）、表示制御装置１０は、メモリ１５にフラグがセットされているか（つまり切り替え前のコンテンツがメモリ１５に記憶されているか）否かを判別する（Ｓ６）。フラグがセットされている場合（Ｓ６、ＹＥＳ）、プロセッサＰＲＣ１は、メモリ１５から切り替え前のコンテンツ（例えばコンテンツＡ）を読み出し、第２タッチパネル３２の表示内容を切り替え前のコンテンツＡに切り替える（Ｓ７）。このステップＳ７の処理は、図２における、コンテンツａからコンテンツＡに戻す処理に相当する。表示制御装置１０は、記録装置２０から切り替え前のコンテンツを消去し、フラグをクリアする（Ｓ８）。この後、表示制御装置１０の動作は終了する。
【００３７】
また、ステップＳ６でフラグがセットされていない（つまり切り替え前のコンテンツがメモリ１５に記憶されていない）場合（Ｓ６、ＮＯ）、表示制御装置１０の動作はそのまま終了する。また、ステップＳ１でコンテンツの切り替え要求を受け付けていない場合にも、表示制御装置１０の動作は終了する。
【００３８】
図４は、第１タッチパネル３１および第２タッチパネル３２のそれぞれに表示可能なコンテンツの具体例を示す図である。一例として、図２のコンテンツＡは、車両の進行を案内するナビゲーション画面である。コンテンツＡに関連するコンテンツａは、車両が走行する経路を示す走行ルート画面である。コンテンツＢは、各種の機能を選択可能なメニュー画面である。コンテンツＣは、通話に使用される電話番号入力画面である。
【００３９】
このように、動作例１では、表示制御装置１０は、第１タッチパネル３１に表示されるコンテンツを手動で切り替えることで、第１タッチパネル３１および第２タッチパネル３２のそれぞれに同一のコンテンツが表示される状況が起きそうになっても、第２タッチパネル３２に表示されるコンテンツを関連するコンテンツに切り替える。従って、２つのタッチパネル（第１タッチパネル３１および第２タッチパネル３２）に同じコンテンツが表示されることなく、ユーザは、表示内容を冗長であると感じにくくなる。また、２つのタッチパネルには、互いに関連するコンテンツが表示されるので、ユーザはコンテンツに関する情報を詳細にあるいは幅広く知ることができる。
【００４０】
また、第１タッチパネル３１に表示されるコンテンツが第２タッチパネル３２に表示されるコンテンツと関連しなくなった場合、表示制御装置１０は、第２タッチパネル３２において、切り替え前のコンテンツに自動で切り替える。従って、ユーザが手動で操作する手間をかけることなく、表示制御装置１０は、２タッチパネルに表示されるコンテンツを元に戻すことができる。
【００４１】
（動作例２）
動作例２では、表示制御装置１０は、第２タッチパネルに表示されるコンテンツが第１タッチパネルに表示されるコンテンツと関連する別のコンテンツに切り替えられた後、第１タッチパネルの表示が別のコンテンツに切り替えられた場合、ユーザによる許可があった場合に限って、第２タッチパネルに表示される関連するコンテンツを切り替え前のコンテンツに戻す。
【００４２】
図５は、動作例２における第１タッチパネル３１および第２タッチパネル３２のそれぞれに表示されるコンテンツの遷移例を示す図である。動作例１と同様の動作については、説明を簡略化あるいは省略する。車載表示システム５において、第１タッチパネル３１にコンテンツＡが表示され、第２タッチパネル３２にコンテンツａが表示されている状況であるとする。
【００４３】
ユーザは、第１タッチパネル３１に対して手動で（例えば指でフリックする等して）コンテンツ切り替え操作を行う。第１タッチパネル３１の表示内容は、プロセッサＰＲＣ１の処理により、コンテンツＡから、コンテンツＡに関連しないコンテンツＣに遷移する。第１タッチパネル３１に表示されるコンテンツＣは、第２タッチパネル３２に表示されるコンテンツａおよび切り替え前のコンテンツＡのいずれとも関連しない。
【００４４】
このとき、第２タッチパネル３２は、コンテンツａに重畳されるように、プロセッサＰＲＣ１の処理により、コンテンツａから切り替え前のコンテンツＡに戻すか否かをユーザに問い合わせるためのポップアップ画面ＰＧ１を表示する。ポップアップ画面ＰＧ１には、切り替え前のコンテンツＡに戻すことを許容する「Ｙｅｓ」ボタンｂｔ１と、切り替え前のコンテンツＡに戻すことを拒否する「Ｎｏ」ボタンｂｔ２とが配置される。
【００４５】
ユーザが第２タッチパネル３２に対し「Ｙｅｓ」ボタンｂｔ１を選択すると、プロセッサＰＲＣ１の処理により、第２タッチパネル３２には、切り替え前のコンテンツＡが表示される。一方、ユーザが第２タッチパネル３２に対し「Ｎｏ」ボタンｂｔ２を選択すると、第２タッチパネル３２には、プロセッサＰＲＣ１の処理により、コンテンツａが継続して表示される。
【００４６】
図６は、動作例２における表示制御手順例を示すフローチャートである。つまり、図６のフローチャートは、図５の動作例２に対応して表示制御装置１０が実行する表示制御手順が示されている。なお、動作例１に対応する図３のフローチャート内の処理と同一の処理については同一のステップ番号を付すことで、その説明を簡略化あるいは省略し、異なる内容について説明する。
【００４７】
図６において、ステップＳ６でフラグがセットされている場合（Ｓ６、ＹＥＳ）、プロセッサＰＲＣ１は、自動切替されたコンテンツが表示されている第２タッチパネル３２にポップアップ画面ＰＧ１を表示する（Ｓ７Ａ）。表示制御装置１０は、ユーザがポップアップ画面ＰＧ１の「Ｙｅｓ」ボタンｂｔ１を選択したか否かを判別する（Ｓ７Ｂ）。
【００４８】
「Ｙｅｓ」ボタンｂｔ１が選択された場合、表示制御部１２は、記録装置２０から切り替え前のコンテンツＡを読み出し、第２タッチパネル３２の表示内容を切り替え前のコンテンツＡに切り替える（Ｓ７）。表示制御装置１０は、メモリ１５から切り替え前のコンテンツを消去し、フラグをクリアする（Ｓ８）。この後、表示制御装置１０の動作は終了する。
【００４９】
一方、ステップＳ７Ｂでユーザがポップアップ画面ＰＧ１の「Ｎｏ」ボタンｂｔ２を選択した場合（Ｓ７Ｂ、ＮＯ）、プロセッサＰＲＣ１は、ポップアップ画面ＰＧ１を消去する（Ｓ７Ｃ）。この後、プロセッサＰＲＣ１は、第２タッチパネル３２にコンテンツａの表示を継続し、表示制御装置１０の処理は終了する。
【００５０】
このように、動作例２では、第１タッチパネル３１に表示されるコンテンツが第２タッチパネル３２に表示されるコンテンツと関連しなくなった場合、プロセッサＰＲＣ１は、第２タッチパネル３２にポップアップ画面ＰＧ１を表示する。ユーザがポップアップ画面ＰＧ１に対し「Ｙｅｓ」ボタンｂｔ１を選択した場合、表示制御装置１０の処理により、第２タッチパネル３２は、切り替え前のコンテンツに切り替える。従って、車載表示システム５において、表示制御装置１０は、第２タッチパネル３２に表示されるコンテンツを元に戻す際、ユーザの意図を反映して切り替えできる。
【００５１】
（動作例３）
動作例３では、表示制御装置１０は、動作例２と同様、第２タッチパネルに表示されるコンテンツが第１タッチパネルに表示されるコンテンツと関連する別のコンテンツに切り替えられた後、第１タッチパネル３１の表示内容が別のコンテンツに切り替えられた場合、第２タッチパネル３２においてコンテンツの表示を維持しながら、切り替え前のコンテンツを表示可能なポインタ画面ＴＧを重畳して表示する。このポインタ画面ＴＧに対してユーザによる指示があると、表示制御装置１０は、第２タッチパネルに表示されているコンテンツを切り替え前のコンテンツに戻す。
【００５２】
図７は、動作例３における第１タッチパネル３１および第２タッチパネル３２のそれぞれに表示されるコンテンツの遷移例を示す図である。動作例１と同様の動作については、説明を簡略化あるいは省略する。車載表示システム５において、第１タッチパネル３１にコンテンツＡが表示され、第２タッチパネル３２にコンテンツａが表示されている状況であるとする。
【００５３】
ユーザは、第１タッチパネル３１に対して手動で（例えば指でフリックする等して）コンテンツ切り替え操作を行う。第１タッチパネル３１の表示内容は、プロセッサＰＲＣ１の処理により、コンテンツＡから、コンテンツＡに関連しないコンテンツＣに遷移する。第１タッチパネル３１に表示されるコンテンツＣは、第２タッチパネル３２に表示されるコンテンツａおよび切り替え前のコンテンツＡのいずれとも関連しない。このとき、第２タッチパネル３２は、コンテンツａと重畳するように、コンテンツＡを縮小表示したポインタ画面ＴＧを画面右下隅に表示する。なお、ポインタ画面ＴＧは、コンテンツａの画面右下隅に表示されると記載しているが、ポインタ画面ＴＧの表示箇所はコンテンツａの画面右下隅に限定されるものではなく、コンテンツａの画面の一部に重畳されればよい。ユーザがポインタ画面ＴＧをクリック（指示）操作すると、プロセッサＰＲＣ１の処理により、ポインタ画面ＴＧは、第２タッチパネル３２の全画面サイズにまで最大化される。
【００５４】
図８は、動作例３における表示制御手順例を示すフローチャートである。つまり、図８のフローチャートは、図７の動作例３に対応して表示制御装置１０が実行する表示制御手順が示されている。動作例１に対応する図３のフローチャート内の処理と同一の処理については同一のステップ番号を付すことで、その説明を簡略化あるいは省略し、異なる内容について説明する。
【００５５】
図８において、ステップＳ６でフラグがセットされている場合、プロセッサＰＲＣ１は、切り替え前のコンテンツ（例えばコンテンツａ）を、例えばそのコンテンツの視聴を遮らない程度の所定サイズのアイコンのように縮小したポインタ画面ＴＧを第２タッチパネル３２に表示する（Ｓ７Ｅ）。表示制御装置１０は、ポインタ画面ＴＧがユーザによってクリックされたか否かを判別する（Ｓ７Ｆ）。ポインタ画面ＴＧがクリックされた場合（Ｓ７Ｆ、ＹＥＳ）、プロセッサＰＲＣ１は、第２タッチパネル３２に表示されたポインタ画面ＴＧに表示される切り替え前のコンテンツを最大化して表示する（Ｓ７Ｇ）。表示制御装置１０は、メモリ１５から切り替え前のコンテンツを消去し、フラグをクリアする（Ｓ８）。この後、表示制御装置１０の動作は終了する。
【００５６】
一方、ステップＳ７Ｆでポインタ画面ＴＧが例えば所定時間待ってもクリックされない場合（Ｓ７Ｆ、ＮＯ）、表示制御部１２は、ポインタ画面ＴＧを消去（Ｓ７Ｈ）する。この後、プロセッサＰＲＣ１は、第２タッチパネル３２にコンテンツａの表示を継続し、表示制御装置１０の処理は終了する。
【００５７】
このように、動作例３では、第１タッチパネル３１に表示されるコンテンツが第２タッチパネル３２に表示されるコンテンツと関連しなくなった場合、プロセッサＰＲＣ１は、第２タッチパネル３２にポインタ画面ＴＧを表示する。ポインタ画面ＴＧには、切り替え前のコンテンツが縮小表示されているので、ユーザは、切り替え後のコンテンツを参照しつつ、切り替え前のコンテンツの内容も同時に確認することができる。そして、ユーザがポインタ画面ＴＧをクリックすると、表示制御装置１０の処理により、ポインタ画面に表示されていた切り替え前のコンテンツが全画面表示されるので、ユーザは、切り替え前のコンテンツを見やすくなる。また、ユーザの使い勝手が向上する。
【００５８】
以上により、実施の形態１に係る車載表示システム５では、表示制御装置１０は、車両の車室内（移動体内の一例）に配置される第１タッチパネル３１（第１の表示部）および第２タッチパネル３２（第２の表示部）のそれぞれに表示する１以上のコンテンツを取得する情報取得部１１と、第１タッチパネル３１および第２タッチパネル３２のそれぞれに対するコンテンツの表示を制御する表示制御部１２とを備える。プロセッサＰＲＣ１（例えば表示制御部１２）は、第１タッチパネル３１にコンテンツＡ（第１のコンテンツの一例）が表示され、かつコンテンツＡに関連付けられているコンテンツａ（第２のコンテンツの一例）が第２タッチパネル３２に表示されている時、第１タッチパネル３１でのコンテンツＡからコンテンツＣ（第３のコンテンツの一例）への切り替えに応じて、第２タッチパネル３２に表示されるコンテンツをコンテンツａからコンテンツａ以前に表示されていたコンテンツＡへ切り替える。
【００５９】
これにより、表示制御装置１０は、ユーザが手動で操作する手間をかけることなく、第２タッチパネル３２に表示されるコンテンツを簡易に元に戻すことができる。従って、表示制御装置１０は、車両に搭載された車載表示システム５において、複数の車載ディスプレイのそれぞれに対するコンテンツの表示に関する冗長性の増大を抑制でき、コンテンツを利用する乗員が意図しないコンテンツの表示を抑制できるので、乗員に対する利便性を向上できる。
【００６０】
また、プロセッサＰＲＣ１（例えば表示制御部１２）は、第１タッチパネル３１でのコンテンツＡからコンテンツＣへの切り替えに応じて、第２タッチパネル３２においてコンテンツａからコンテンツＡへの表示切替の確認を促すポップアップ画面ＰＧ１（確認画面の一例）を表示する。これにより、表示制御装置１０は、第２タッチパネル３２に表示されるコンテンツを元に戻す際、ユーザにコンテンツの表示切替を気付かせることができると共に、ユーザの判断を仰ぐことができる。
【００６１】
また、プロセッサＰＲＣ１（例えば表示制御部１２）は、ポップアップ画面ＰＧ１に対する「Ｙｅｓ」ボタンｂｔ１の選択（第１のコンテンツへの表示切替の実行指示の入力の一例）に応じて、第２タッチパネル３２に表示されるコンテンツをコンテンツａからコンテンツＡに切り替える。これにより、表示制御装置１０は、第２タッチパネル３２に表示されるコンテンツを元に戻す際、プロセッサが勝手に行うのではなく、ユーザの意図を十分に反映できる。
【００６２】
また、プロセッサＰＲＣ１（例えば表示制御部１２）は、ポップアップ画面ＰＧ１に対する「Ｎｏ」ボタンｂｔ２の選択（第１のコンテンツへの表示切替の不実行指示の入力の一例）に応じて、第２タッチパネル３２においてポップアップ画面ＰＧ１を非表示する。これにより、表示制御装置１０は、ユーザの確認を終えて必要なくなったポップアップ画面を消すことができる。従って、第２タッチパネル３２は、表示制御装置１０の処理により、画面全体を使用してコンテンツａを継続して表示できる。従って、表示制御装置１０はユーザの意図を反映してコンテンツを表示することができ、かつユーザの画面に対するコンテンツの視認性が高まる。
【００６３】
また、プロセッサＰＲＣ１（例えば表示制御部１２）は、第１タッチパネル３１でのコンテンツＡからコンテンツＣへの切り替えに応じて、第２タッチパネル３２においてコンテンツａを表示させながら、コンテンツＡを表示可能なポインタ画面ＴＧを表示（例えば、コンテンツａに重畳表示）させる。このため、ユーザは、切り替え後のコンテンツ（例えばコンテンツａ）を参照しつつ、切り替え前のコンテンツ（例えばコンテンツＡ）の内容も同時に把握することができる。また、ユーザの使い勝手が向上する。
【００６４】
また、プロセッサＰＲＣ１（例えば表示制御部１２）は、ポインタ画面ＴＧにおける、コンテンツＡを表示させるためのユーザのクリック操作（指定指示の入力の一例）に応じて、第２タッチパネル３２において切り替え前のコンテンツＡを全画面表示する。これにより、表示制御装置１０は、第２タッチパネル３２に表示されるコンテンツを元に戻す際、プロセッサが勝手に行うのではなく、ユーザの意図を十分に反映できる。また、切り替え前のコンテンツＡが全画面表示されるので、ユーザは、コンテンツＡを見やすくなる。
【００６５】
（実施の形態２）
実施の形態１では、第１タッチパネル３１および第２タッチパネル３２にそれぞれ表示されるコンテンツの切り替えは、瞬間的に（速やかに）行われた。実施の形態２では、コンテンツの切り替えが徐々に（言い換えると、所定時間をかけて緩やかに）行われるようにする。
【００６６】
実施の形態２に係る車載表示システムの内部構成は、実施の形態１に係る車載表示システム５の内部構成とほぼ同一の構成を有する。実施の形態１に係る車載表示システム５と同一の構成要素については同一の符号を用いることで、その説明を簡略化あるいは省略し、異なる内容について説明する。
【００６７】
図９は、実施の形態２に係る第１タッチパネル３１および第２タッチパネル３２のそれぞれに表示されるコンテンツの遷移例を示す図である。
【００６８】
ユーザは、第１タッチパネル３１に対して手動で（例えばフリックする等して）コンテンツ切り替え操作を行う。第１タッチパネル３１の表示内容は、プロセッサＰＲＣ１の処理により、コンテンツＢからコンテンツＡに徐々に（言い換えると、所定時間をかけて緩やかに）遷移する。コンテンツＢからコンテンツＡへの遷移には、例えばアニメーション効果としてスライドインおよびスライドアウトが用いられる。スライドインでは、次のコンテンツであるコンテンツＡが例えば画面の右側から登場し、所定時間かけてゆっくりと（徐々に）その領域を広げていき、やがて全画面を占める。スライドアウトでは、前のコンテンツであるコンテンツＢは例えば画面の右側から欠け始め、所定時間かけてゆっくりと（徐々に）その領域を減らしていき、やがて画面から消える。
【００６９】
このとき、動作例１と同様、第１タッチパネル３１に表示されるコンテンツＡと第２タッチパネル３２に表示されているコンテンツとが同じにならないように、第２タッチパネル３２の表示内容は、プロセッサＰＲＣ１の処理により、コンテンツＡからコンテンツＡに関連するコンテンツａに自動で徐々に遷移する。コンテンツＡからコンテンツａへの遷移には、アニメーション効果としてスライドイン／スライドアウトが用いられる。スライドアウトでは、前のコンテンツであるコンテンツＡは、画面の右側から欠け始め、徐々にその領域を減らしていき、やがて画面から消える。スライドインでは、次のコンテンツであるコンテンツａが画面の右側から徐々に登場し、徐々にその領域を広げていき、やがて全画面を占める。
【００７０】
なお、徐々にコンテンツを切り替えるアニメーション効果は、上述したスライドインおよびスライドアウトに限らない。アニメーション効果としては、例えば、次のコンテンツが画面の中央から徐々に円形に広がっていくパターン、次のコンテンツがランダムに発生する縦縞あるいは横縞で広がっていくパターン、次のコンテンツが倒れている状態から起き上がるパターン等が挙げられる。
【００７１】
図１０は、実施の形態２に係る表示制御手順例を示すフローチャートである。つまり、図１０のフローチャートは、図９の動作例に対応して表示制御装置１０が実行する表示制御手順が示されている。実施の形態１の動作例１（図３参照）と同一のステップ処理については、同一のステップ番号を付す。なお、図１０に示す表示制御処理は、第１タッチパネル３１と第２タッチパネル３２とのどちらにも適用される。
【００７２】
図１０において、表示制御装置１０は、第１タッチパネル３１の操作部３１ｙを介して、ユーザからコンテンツ切り替え要求を受け付けたか否かを判別する（Ｓ１）。コンテンツ切り替え要求を受け付けた場合、プロセッサＰＲＣ１は、ユーザの要求に適合するコンテンツを入力し、第１タッチパネル３１に表示されるコンテンツを徐々に切り替える（Ｓ２Ａ）。このステップＳ２Ａの処理は、図２における、コンテンツＢからコンテンツＡに手動で切り替える処理、またはコンテンツＡからコンテンツＣに手動で切り替える処理に相当する。コンテンツＢからコンテンツＡへの画面の遷移は、スライドインおよびスライドアウトのアニメーション効果で徐々に切り替わる（図９参照）。同様に、コンテンツＡからコンテンツＣへの画面の遷移時に関しても、プロセッサＰＲＣ１は、スライドインおよびスライドアウトのアニメーション効果を用いて、表示中のコンテンツを徐々に切り替えてもよい。
【００７３】
コンテンツ判定部１３は、第１タッチパネル３１に表示されるコンテンツと、第２タッチパネル３２に表示されるコンテンツとが同一であるか否かを判別する（Ｓ３）。第１タッチパネル３１に表示されるコンテンツと、第２タッチパネル３２に表示されるコンテンツとが同一である場合（Ｓ３、ＹＥＳ）、表示制御装置１０は、切り替え前の第２タッチパネル３２に表示されたコンテンツを記録装置２０に記憶し、そのコンテンツに対してフラグを割り当てるようにメモリ１５にセットする（Ｓ４）。
【００７４】
プロセッサＰＲＣ１は、第２タッチパネル３２に表示されていたコンテンツに関連するコンテンツを入力し、第２タッチパネル３２の表示内容を、この関連するコンテンツに徐々に切り替える（Ｓ５Ａ）。このステップＳ５Ａの処理は、図２における、コンテンツＡからコンテンツａに自動で切り替える処理に相当する。コンテンツＡからコンテンツａへの画面の遷移は、スライドアウトおよびスライドアウトのアニメーション効果で徐々に切り替わる（図９参照）。この後、表示制御装置１０の動作は終了する。
【００７５】
一方、ステップＳ３で、第１タッチパネル３１に表示されるコンテンツと第２タッチパネル３２に表示されるコンテンツとが異なる場合（Ｓ３、ＮＯ）、プロセッサＰＲＣ１は、フラグがセットされているか（つまり切り替え前のコンテンツがメモリ１５に記憶されているか）否かを判別する（Ｓ６）。フラグがセットされている場合（Ｓ６、ＹＥＳ）、プロセッサＰＲＣ１は、メモリ１５から切り替え前のコンテンツを読み出し、第２タッチパネル３２の表示内容を切り替え前のコンテンツに徐々に切り替える（Ｓ７Ｄ）。このステップＳ７Ａの処理は、図２における、コンテンツａからコンテンツＡに戻す処理に相当する。コンテンツａからコンテンツＡへの画面の遷移は、プロセッサＰＲＣ１の処理により、スライドインおよびスライドアウトのアニメーション効果で徐々に切り替わる（図９参照）。表示制御装置１０は、メモリ１５から切り替え前のコンテンツを消去し、フラグをクリアする（Ｓ８）。この後、表示制御装置１０の動作は終了する。
【００７６】
また、ステップＳ６でフラグがセットされていない場合（Ｓ６、ＮＯ）、表示制御装置１０の動作はそのまま終了する。また、ステップＳ１でコンテンツ切り替え要求を受け付けていない場合（Ｓ１、ＮＯ）、表示制御装置１０の動作は終了する。
【００７７】
なお、上記表示制御処理では、第１タッチパネル３１においてコンテンツＢからコンテンツＡへの遷移がアニメーション効果で徐々に行われると同時に、第２タッチパネル３２においてコンテンツＡからコンテンツａへの遷移がアニメーション効果で徐々に行われる。これにより、同一のコンテンツＡが第１タッチパネル３１および第２タッチパネル３２に同時に表示されることなく、車載表示システム５は、画面の表示に関する冗長性を排除できる。さらに、アニメーション効果により第２タッチパネル３２の表示されているコンテンツが第１タッチパネル３１に表示先が変わり、第２タッチパネル３２に表示されるコンテンツが第１タッチパネルに関連したコンテンツにユーザの操作を起点に自動で切り替わったことをユーザに訴えることができる。
【００７８】
以上により、実施の形態２に係る車載表示システム５では、プロセッサＰＲＣ１（例えば表示制御部１２）は、第１タッチパネル３１においてコンテンツＡからコンテンツＣへそれぞれのコンテンツの表示領域を所定時間かけて徐々に増減しながら切り替えるとともに、第２タッチパネル３２においてコンテンツａからコンテンツＡへそれぞれのコンテンツの表示領域を所定時間かけて徐々に増減しながら切り替える。これにより、第２タッチパネル３２に表示されているコンテンツが第１タッチパネル３１に表示先が変わり、第２タッチパネル３２に表示されるコンテンツが第１タッチパネルに関連したコンテンツにユーザの操作を起点に自動で切り替わったことをユーザに訴えることができ、表示内容の切り替えがユーザの意図しない操作に依るものではないことをユーザは認識することができる。
【００７９】
また、コンテンツＣは、コンテンツＡに関連付けられていないコンテンツである。これにより、ユーザの誤操作によりコンテンツＡを誤って表示させてしまった場合には、コンテンツＡに関連付けられたコンテンツａと、コンテンツａと関連付けられていないコンテンツＣが表示されることになり、自動でコンテンツａを元々表示されていたコンテンツに戻すことで、ユーザの利便性を向上することができる。
【００８０】
以上、図面を参照しながら実施の形態について説明したが、本開示はかかる例に限定されないことはいうまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した実施の形態における各構成要素を任意に組み合わせてもよい。
【００８１】
例えば、上記実施形態では、第１タッチパネルと第２タッチパネルの２つに表示されるコンテンツを切り替える場合を示したが、３つ以上のタッチパネルに表示されるコンテンツを切り替える場合にも、本開示は、同様に適用可能である。この場合、３つ以上のタッチパネルのうち、２つのタッチパネルに表示されるコンテンツが同一とならないように、プロセッサは、いずれかのコンテンツを関連するコンテンツに切り替える。
【００８２】
また、２つの表示装置として、タッチ入力操作可能なタッチパネルを用いた場合を示したが、入力操作を有しないモニタやディスプレイ等であってもよい。また、２つの表示装置は、一方がタッチパネルで他方がディスプレイである組み合わせ等であってもよい。また表示装置と表示制御装置との接続は有線接続に限定するものではなく、無線接続でも構わない。
【００８３】
また、上記実施形態では、２つの表示装置は、車両の乗員が視認可能なように車室内に配置されたが、車両に限らず、移動体としての携帯端末やロボット機器等の電子機器に配置されてもよい。また、２つの表示装置は、移動体に限らず、建物の会議室や各種のイベント会場等に設置されてもよい。また、上記実施形態では、本開示に係る移動体が車両である例について説明したが、かかる例に限定されず、この移動体は、二輪車（バイク、自転車など）、船舶、列車、または、飛行機などであってもよい。
【００８４】
また、本開示は、上記実施形態の車載表示システムのプロセッサの機能を実現するプログラムを、ネットワークあるいは各種記憶媒体を介してプロセッサに供給し、このプロセッサが読み出して実行するプログラムも適用範囲である。
【産業上の利用可能性】
【００８５】
本開示は、複数の車載ディスプレイのそれぞれに対するコンテンツの表示に関する冗長性の増大を抑制し、コンテンツを利用する乗員の利便性を向上する表示制御装置、表示制御方法およびプログラムとして有用である。
【符号の説明】
【００８６】
５  車載表示システム
１０  表示制御装置
１１  情報取得部
１２  表示制御部
１３  コンテンツ判定部
１４  コンテンツ切替部
１５  メモリ
２０  記録装置
３１  第１タッチパネル
３１ｙ  操作部
３１ｚ  表示部
３２  第２タッチパネル
３２ｙ  操作部
３２ｚ  表示部
４０  スピーカ
ＰＲＣ１  プロセッサ
【図１】
2020160180.tif 000003
【図２】
2020160180.tif 000004
【図３】
2020160180.tif 000005
【図４】
2020160180.tif 000006
【図５】
2020160180.tif 000007
【図６】
2020160180.tif 000008
【図７】
2020160180.tif 000009
【図８】
2020160180.tif 000010
【図９】
2020160180.tif 000011
【図１０】
2020160180.tif 000012